(57)【要約】      （修正有）【課題】筒部へ挿通される紐状部材の損傷を低減することができる紐通し具を提供すること。【解決手段】弾性の線状部材により長尺に形成された紐通し具１であって、線状部材の所定の長さ部分が略Ｕ字状に折り曲げられて形成され、対向する線状部材間に紐状部材を挿通可能な間隙１０１を有する挿通部１０と、線状部材の所定の長さ部分から延びる第１の２つの部分であって、第１の２つの部分が弾性力により紐状部材を挟持するように互いに平行に離間して螺旋状に形成された挟持部２０と、第１の２つの部分から所定の長さ部分とは逆側に延びる線状部材の第２の２つの部分であって、第２の２つの部分が互いに密着して螺旋状に形成された柄部３０とを備える。【選択図】図１
0003202883.tif 000002
【実用新案登録請求の範囲】
【請求項１】
弾性の線状部材により長尺に形成された紐通し具であって、
前記線状部材の所定の長さ部分が略Ｕ字状に折り曲げられて形成され、対向する線状部材間に紐状部材を挿通可能な間隙を有する挿通部と、
前記線状部材の前記所定の長さ部分から延びる第１の２つの部分であって、該第１の２つの部分が弾性力により前記紐状部材を挟持するように互いに平行に離間して螺旋状に形成された挟持部と、
前記第１の２つの部分から前記所定の長さ部分とは逆側に延びる前記線状部材の第２の２つの部分であって、該第２の２つの部分が互いに密着して螺旋状に形成された柄部と
を備える紐通し具。
【請求項２】
前記所定の長さ部分における対向する線状部材は第１距離だけ離間し、前記第１の２つの部分は前記１距離より小さい第２距離だけ離間することを特徴とする請求項１に記載の紐通し具。
【請求項３】
前記間隙の長手方向の大きさは、前記第１距離より大きい第３距離であることを特徴とする請求項１または請求項２に記載の紐通し具。
【考案の詳細な説明】
【技術分野】
【０００１】
本考案は、紐通し具に関する。
【背景技術】
【０００２】
従来、ブラウスやシャツなどの上物の袖口、パンツやスカートのウエストベルトのような衣類の開口部には、その周方向に環状に形成された筒部が形成されているものがある。この筒部によれば、筒部内に布紐やゴム紐などの紐状部材を挿通することによって、開口部のサイズが衣類の着用者に合わせられるようになっている。
【０００３】
また、筒部に紐状部材を挿通させる際には、一般的に紐通し具が用いられており、この紐通し具に紐状部材の端部が保持された状態で、筒部に設けられた開口から紐通し具を筒部内に挿入して周方向に移動させ、紐通し具を開口から取り出すことによって、紐状部材が開口部の周方向に沿うように筒部に挿通される。
【０００４】
このような紐通し具として、先導部と紐留め部とがねじり回転が自在なジョイント部を介して連結されており、紐留め部が紐に刺す針部を有することを特徴とする紐通し具が知られている（特許文献１参照）
【先行技術文献】
【特許文献】
【０００５】
【特許文献１】特開２００５−２３２６５１号公報
【考案の概要】
【考案が解決しようとする課題】
【０００６】
しかしながら、上述の紐通し具によれば、紐状部材を針部により保持するため、紐状部材が針部に刺された状態で紐通し具が筒部内を移動し、この際、紐状部材における針部近傍に負荷が集中する。このため、場合によっては、針部によって紐状部材が損傷するという問題がある。
【０００７】
本考案は、かかる従来の問題点に鑑みなされたもので、その目的とするところは、筒部へ挿通される紐状部材の損傷を低減することができる紐通し具を提供することにある。
【課題を解決するための手段】
【０００８】
上記目的を達成するために、本考案は、弾性の線状部材により長尺に形成された紐通し具であって、前記線状部材の所定の長さ部分が略Ｕ字状に折り曲げられて形成され、対向する線状部材間に紐状部材を挿通可能な間隙を有する挿通部と、前記線状部材の前記所定の長さ部分から延びる第１の２つの部分であって、該第１の２つの部分が弾性力により前記紐状部材を挟持するように互いに平行に離間して螺旋状に形成された挟持部と、前記第１の２つの部分から前記所定の長さ部分とは逆側に延びる前記線状部材の第２の２つの部分であって、該第２の２つの部分が互いに密着して螺旋状に形成された柄部とを備える。
【考案の効果】
【０００９】
本考案によれば、筒部へ挿通される紐状部材の損傷を低減することができる紐通し具を提供することができる。
【図面の簡単な説明】
【００１０】
【図１】本考案に係る紐通し具の構成を示す正面図である。
【図２】紐状部材が挿通された紐通し具を示す正面図である。
【図３】紐状部材が係止された紐通し具を示す正面図である。
【図４】筒部に挿通される紐通し具を示す概略図である。
【考案を実施するための形態】
【００１１】
以下、図面を用いて本考案の実施の形態を説明する。
【００１２】
まず、本考案に係る紐通し具の構成について説明する。図１は、本考案に係る紐通し具の構成を示す正面図である。
【００１３】
図１に示すように、本考案に係る紐通し具１は、弾性力を有する材質からなる線状の部材としての金属線を変形加工して全体として長尺に構成された器具であり、挿通部１０、挟持部２０、柄部３０を備える。
【００１４】
挿通部１０は、折り曲げられた金属線の折り曲げ部分が紐通し具１の先端側を向くＵ字状に形成されており、対向する金属線間に間隙１０１を有する。この間隙１０１は、長手方向に距離Ｌだけの長さ、長手方向に直行する方向に距離Ｗだけの最大幅を有しており、距離Ｌは紐通し具１を用いる対象である紐状部材としての平ゴムや平紐の幅以上、距離Ｗは少なくとも距離Ｌより小さく且つ紐状部材の厚さまたは太さ以上とする。これによって、平ゴムや平紐のようなテープ状の紐状部材を間隙１０１に挿通可能となる。
【００１５】
挟持部２０は、Ｕ字状に形成された挿通部１０の基端側から延びる２つの金属線が互いに平行した螺旋状となった二重螺旋構造となっており、この二重螺旋構造は長手方向を螺旋軸とする。また、平行する２つの金属線は螺旋軸方向に直行する平面方向において、互いに最大で距離Ｃだけ離間しており、この距離Ｃは、少なくとも距離Ｗより小さい距離であり、更には、紐状部材の厚さまたは太さ以下とする。
【００１６】
柄部３０は、挟持部２０の基端側から延びる２つの金属線が互いに離間せず密着する二重螺旋構造となっており、基端部から長手方向の所定距離にかけて樹脂材料が塗布されたグリップ３０１を有する。
【００１７】
次に、紐通し具の使用方法について説明する。図２は、紐状部材が挿通された紐通し具を示す正面図である。図３は、紐状部材が係止された紐通し具を示す正面図である。図４は、筒部に挿通される紐通し具を紐状部材を省略して示す概略図である。なお、以降の説明において、紐状部材として平ゴムが用いられるものとする。
【００１８】
まず、紐通し具１の使用者は、図２に示すように、挿通部１０の間隙１０１に平ゴム８を挿通させる。次に、使用者は、図３に示すように、間隙１０１に挿通された平ゴム８を、少なくとも平ゴム８の一部が挟持部２０の間隙に位置するように、基端側へ移動させる。この際、平ゴム８は、挿通部１０における２つの金属線がその弾性力により螺旋軸方向に向かうことによって、２つの金属線に挟持される。
【００１９】
このように、平ゴム８が挟持部２０によって紐通し具１に固定されたのち、使用者は、図４に示すように、衣類の開口部に設けられた環状の筒部９に設けられた一方の開口９１から紐通し具１をその先端側から挿入し、筒部９内を通過させて筒部９に設けられた他方の開口９２から紐通し具１を抜き取ることによって、平ゴム８が衣類の開口部を包囲するように筒部９に挿通される。なお、紐通し具１が筒部９内を通過される際、平ゴム８は筒部９の側壁に当接して摩擦が生じ、この摩擦によって平ゴム８には紐通し具１の移動方向と逆向きの力が掛かるが、挟持部２０が挿通部１０に対して基端側に位置しているため、平ゴム８はこの摩擦力によってより深く挟持部２０の間隙に挟まることとなり、結果として、平ゴム８が紐通し具１から外れにくくなる。
【００２０】
以上説明したように、本考案に係る紐通し具によれば、針部を用いることなく紐状部材を固定することができるため、紐状部材を損傷することがない。また、グリップ３０１を除いて、線状の弾性部材を変形加工することにより製造可能なため、比較的安価且つ簡易に製造することができる。
【００２１】
以上の実施形態において複数の部材で構成した部品を単一部材で構成することも可能であり、または単一の部材で構成した部品を複数の部材で構成することも可能である。
【符号の説明】
【００２２】
１  紐通し具
１０  挿通部
２０  挟持部
３０  柄部
Ｗ  距離（第１距離）
Ｌ  距離（第２距離）
Ｃ  距離（第３距離）
【図１】
0003202883.tif 000003
【図２】
0003202883.tif 000004
【図３】
0003202883.tif 000005
【図４】
0003202883.tif 000006